(57)【要約】【課題】  デジタルカメラ等の撮像素子を具備する撮像装置から、プリンタ等の印刷装置へ印刷を行うに際し、撮像装置で撮影された画像を前記撮像装置の撮像特性を考慮した変換を行い、最適プリントを行うプリントシステムに係る撮像装置を提供することである。【解決手段】  画像を記録保存可能な撮像装置において、前記記録保存された撮像画像を読み出す画像読み出し手段と、前記撮像画像の画像補正を行う画像補正データを取得する画像補正データ取得手段と前記画像補正データを基に画像補正を行う画像補正手段と前記画像を出力する画像出力手段を有する。【選択図】        図１
2006197212.tif 000002
【特許請求の範囲】
【請求項１】
画像を記録保存可能な撮像装置において、
前記記録保存された撮像画像を読み出す画像読み出し手段と、
前記撮像画像の画像補正を行う画像補正データを取得する画像補正データ取得手段と、
前記画像補正データを基に画像補正を行う画像補正手段と、
前記画像を出力する画像出力手段を有すること、
を特徴とする撮像装置。
【請求項２】
前記画像補正データは、
画像データのヘッダ部分に含まれることを特徴とする請求項１に記載の撮像装置。
【請求項３】
前記画像補正データは、
前記撮像装置が撮影時に画像ファイルに添付されたデータであることを特徴とする請求項１または２に記載の撮像装置。
【請求項４】
前記画像補正データは、
ＪＰＥＧの記録方式である補正前のＹＣｒＣｂデータから補正後のＹＣｒＣｂ信号へ変換する３次元変換テーブル、または補正前のＲＧＢから補正後のＹｃｒＣｂ信号であることを特徴とする請求項１〜３のいずれかに記載の撮像装置。
【請求項５】
前記画像補正データは、
７２９点のデータで構成されていることを特徴とする請求項１〜４のいずれかに記載の撮像装置。
【請求項６】
前記画像補正データは、
前記撮像装置の撮像特性から作成された撮像特性データであることを特徴とする請求項１〜５のいずれかに記載の撮像装置。
【発明の詳細な説明】
【技術分野】
【０００１】
本発明は、デジタルカメラ等の撮像素子を具備する撮像装置から、プリンタ等の印刷装置へ印刷を行うに際し、撮像装置で撮影された画像を前記撮像装置の撮像特性を考慮した変換を行い、最適プリントを行うプリントシステムに係る撮像装置に関するものである。
【背景技術】
【０００２】
従来、デジタルカメラ等の撮像装置からプリンタへ直接印刷できるダイレクトプリントを行う場合、デジタルカメラから直接ＵＳＢ等でプリンタと接続しプリント出力するダイレクトプリントの形式と、プリンタ側でカードスロットを持つカードダイレクト出力の２つの形式が一般的である。
【０００３】
図２は、従来のダイレクトプリントの標準的な形態である、ＰｉｃｔＢｒｉｄｇｅでの印刷のシステムを図示したものである。
【０００４】
画像記憶装置１１０から読み出された画像データは画像バッファ１１１に格納される。格納された画像はＪＰＥＧ圧縮から伸張され表示手段１１５に表示される。ユーザインターフェース１１３によって特定画像をプリント指定されると、画像送信手段１１２は画像バッファ１１１から画像を読み出し印刷装置２００に送信する。その際、ユーザインターフェース１１３により画像自動補正処理が行う設定がなされている場合には、デジカメシステムコントローラ１２０は印刷装置２００のプリンタシステムコントローラ２１０へ自動補正を有効にする信号を送信する。
【０００５】
画像送信手段１１２から送信された画像データは画像受信手段２０１で受信され画像バッファ２０２に格納される。格納された画像は画像伸張手段２０３で伸張を展開され、自動画像補正が有効の場合には画像補正を行い、プリンタ用画像処理手段２０４にてプリント出力処理を行い印刷手段２０５にて印刷を行う（例えば、特許文献１参照）。
【特許文献１】特開平１０−１７３８３３号公報
【発明の開示】
【発明が解決しようとする課題】
【０００６】
しかし従来ダイレクトプリント時に画像を出力する際には、撮影されたデジタルカメラの撮像特性によらず、プリンタ側で持つ出力特性に応じてプリントアウトされる。
【０００７】
一方、従来のデジタルカメラの撮像特性としては、コンシューマークラスのデジカメは、見栄えのする派手な絵作りをしたものが主流であり、また高級一眼レフデジカメは素材性重視で後にレタッチが施しやすいような絵作りをしているものが主流である。
【０００８】
そのため、ダイレクトプリント時などのレタッチを行わないような環境で、素材重視の絵作りの画像をプリントアウトされると、見栄えの良くない画像がプリントされてしまうという問題点があった。
【０００９】
またプリンタ側に自動画像補正処理を有するものも存在するが、素材性重視の画像を、見た目重視の画像へ補正するためには、画像補正の程度として大きな補正を施すことが必要であるが、その変換精度が高くなけば美しい画像を作り出すことが非常に難しいという問題点があった。
【００１０】
本発明は上記問題点を鑑みてなされたものであり、デジタルカメラ等の撮像素子を具備する撮像装置から、プリンタ等の印刷装置へ印刷を行うに際し、撮像装置で撮影された画像を前記撮像装置の撮像特性を考慮した変換を行い、最適なプリントを行うプリントシステムに係る撮像装置を提供することを目的とする。
【課題を解決するための手段】
【００１１】
画像を記録保存可能な撮像装置において、前記記録保存された撮像画像を読み出す画像読み出し手段と、前記撮像画像の画像補正を行う画像補正データを取得する画像補正データ取得手段と前記画像補正データを基に画像補正を行う画像補正手段と前記画像を出力する画像出力手段を有することを特徴とする。
【００１２】
前記画像補正データは画像データのヘッダ部分に含まれてもよい。
【００１３】
前記画像補正データは、撮像装置が撮影時に画像ファイルに添付されることで、記録メディアが複数の撮像装置間で共有された場合においても対応可能である。
【００１４】
また、前記画像補正データは、ＪＰＥＧの記録方式であるＹＣｒＣｂデータまたはＲＧＢデータからＹＣｒＣｂ信号へ変換する３次元変換テーブルで持つことで容易にＪＰＥＧに再圧縮してＪＰＥＧファイルを作成することが可能である。また、その変換テーブルもＹｃｒＣｂまたはＲＧＢ各色９段階の合計７２９点のデータで構成されることで精度が高く変換することが可能である。
【００１５】
また、画像補正データは撮像装置の撮像特性を基に作成された撮像特性データであることで、撮像装置毎の画像特性を容易に吸収することが可能となる。
【発明の効果】
【００１６】
本発明によれば、撮像装置が個体の特性を吸収して出力するにあたり最適な画像補正を行うことにより、絵作りを重視したデジタルカメラにおいても素材性重視のデジタルカメラにおいても、プリントアウト時に最適なプリントを提供することが可能となる。また個々の撮像装置が画像データに変換特性データを保持させる方式をとることによって、プリンタ側で、デジタルカメラ特性を考慮した画像補正処理を行う必要がなくなり、つまり複数のデジタルカメラの撮像特性をプリンタ側で保持する必要がなくなるという利点も生まれる。
【発明を実施するための最良の形態】
【００１７】
以下本発明を実施するための最良の形態を、実施例により詳しく説明する。
【実施例】
【００１８】
＜第１の実施形態＞
本実施例では、ダイレクトプリント時に、デジタルカメラの撮像特性を考慮に入れたカメラ内画像補正を行ってプリント処理を行う場合について説明を行う。
【００１９】
図１は本発明の第１の実施形態における撮像装置の概略構成を示すブロック図である。
【００２０】
基本的な構成は図２と同じであり異なる部分のみ説明を行う。
【００２１】
ユーザインターフェース１１３にて自動画像補正がＯｎの場合、画像補正データ取得手段１２１は、画像バッファ１１１に格納されている後述する画像補正データを取得する。
【００２２】
つぎに、同時に画像バッファ１１１内の画像データは画像伸張手段１１４にて画像伸張され、さらに画像はデジカメ用画像補正手段１３０にて画像補正される。
【００２３】
補正データが格納されている場所は、ＪＰＥＧのヘッダ部分でもよいし、ＣＣＤの生データを記録したファイルフォーマットであるＣＲＡＷデータのヘッダ部分であっても良いし、ＪＰＥＧの画像データの後に付属されてあっても良い。
【００２４】
またその他の実施形態として、デジタルカメラのメモリー内に格納されたものを利用しても良い。
【００２５】
次に画像補正テーブルについて説明を行う。本実施例における画像変換方法は３次元ルックアップテーブルを用いた変換方式で説明を行う。例えば、画像補正データはＲＧＢの信号値で３２スライスの９ステップ、合計７２９点の入力に対する画像補正後のＹＣｒＣｂデータとする。もし前記画像補正テーブルに存在しない信号値の場合には、格子点の間を線形補間することで算出可能である。
【００２６】
もちろん実施形態はこの限りでなく、変換関係をＲＧＢからＹＣｒＣｂデータへのマトリックス演算にて表現されたものであっても良いし、また別の形態としてＹＣｒＣｂ信号からＲＧＢデータへ変換を行いその後にＹＣｒＣｂに変換されても良いし、輝度信号であるＹ信号のみが変換されるものであっても良い。
【００２７】
また、画像補正用３次元変換テーブルはカメラの撮像特性を基に作成されるものである。その変換テーブルを作成する手法についての説明を行う。例えば対象となるデジタルカメラと基準となるデジタルカメラで、ＧｒｅｔａｇＭａｃｂｅｔｈ社から提供されている色チャートである、ＣｏｌｏｒＣｈｅｃｋｅｒ  Ｆｏｒ  ＤＣの撮影を行う。このチャートは１７７色のカラーパッチが配置された色評価用のカラーチャートである。次に対象機と基準機の色・階調特性を前記画像から測定し、対象機のデータから基準機となるような色変換テーブルの作成を行う。このようにすることにより基準機と同じ色再現となる色変換データを作成することが可能となる。
【００２８】
もちろん、カラーチャートに存在しない部分のデータは線形補間を行うことで作成が可能である。
【００２９】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３０】
【図１】本発明の第一実施形態における概略構成を示すブロック図である。
【図２】従来例におけるダイレクトプリントシステム図である。
【符号の説明】
【００３１】
１００  撮像装置
１１０  画像記憶装置
１１１  画像バッファ
１１２  画像送信手段
１１３  ユーザインターフェース
１１４  画像伸張手段
１１５  表示手段
１１６  画像圧縮手段
１２０  デジカメシステムコントローラ
１２１  画像補正データ取得手段
１３０  デジカメ用画像補正手段
２００  印刷装置
２０１  画像受信手段
２０２  画像バッファ
２０３  画像伸張手段
２０４  プリンタ用画像処理手段
２０５  印刷手段
２１０  プリンタシステムコントローラ
２２０  プリンタ用画像補正手段
【図１】
2006197212.tif 000003
【図２】
2006197212.tif 000004